(57)【要約】      （修正有）【課題】格子状のネットのフックを懸垂用横部材に引っ掛け易くしてその取り付け作業の効率が悪化するのを防止することができると共に、格子状のネットのフックを懸垂用横部材から脱落し難くして、棚の背面側にいる人の安全を確保することができるネット取付け構造を提供する。【解決手段】棚の背面側における棚柱の上下方向に、格子状のネット４２の高さとほぼ同じ長さの間隔で懸垂用横部材４４を順次取付け、懸垂用横部材に、格子状のネットの縦線４５の上端部の複数か所を折り曲げて形成したフック６７を引っ掛けて格子状のネットを懸垂するようにした。【選択図】図２
0003202733.tif 000002
【実用新案登録請求の範囲】
【請求項１】
棚の背面側における棚柱の上下方向に、格子状のネットの高さとほぼ同じ長さの間隔で懸垂用横部材を順次取付け、前記棚柱の懸垂用横部材に、前記格子状のネットの縦線の上端部の複数か所を折り曲げて形成したフックを引っ掛けて前記格子状のネットを懸垂するようにしたことを特徴とするネット取付け構造。
【請求項２】
棚の背面側における棚柱の上下方向に、格子状のネットの高さとほぼ同じ長さの間隔で懸垂用横部材を順次取付け、前記棚柱の上端寄りの懸垂用横部材に、前記格子状のネットの縦線の上端部の複数か所を折り曲げて形成したフックを引っ掛けて格子状のネットを懸垂し、この格子状のネットの下端部を前記棚柱の上端寄りの懸垂用横部材より下側の懸垂用横部材の外側又は内側に配置し、同一形状の格子状のネットのフックを前記懸垂した格子状のネットの下端部の縦線間を通して前記下側の懸垂用横部材に引っ掛けて格子状のネットを懸垂し、この格子状のネットの下端部を前記下側の懸垂用横部材より下側の懸垂用横部材の外側又は内側に配置し、以下同様に格子状のネットを順次下方の懸垂用横部材に懸垂して構成するようにしたことを特徴とするネット取付け構造。
【請求項３】
前記フックは、前記格子状のネットの縦線の上端部の２か所を折り曲げて形成するようにした
ことを特徴とする請求項１又は２に記載のネット取付け構造。
【請求項４】
前記フックは、前記格子状のネットの縦線の上端部の長さ方向途中で最初に折り曲げる手前の直線部分と、長さ方向途中の最後に折り曲げられた部分より先端側の直線部分との間に鋭角を形成するようにした
ことを特徴とする請求項１又は２に記載のネット取付け構造。
【請求項５】
前記鋭角は、４０°位に設定することを特徴とする請求項４に記載のネット取付け構造。
【考案の詳細な説明】
【技術分野】
【０００１】
本考案は、例えば自動倉庫などの棚の背面側に安全用の格子状のネットを取付けるのに用いられるネット取付け構造に関するものである。
【背景技術】
【０００２】
多数の区画収納空間を有する自動倉庫などの棚は、枠組構成となっていて、その開放された背面側には安全用のネットが背面壁として取付けられている。このような背面壁を棚に安定して確実に取付けるために、従来は、図４〜図６に示すネット取付け構造が提供されていた（例えば、特許文献１参照）。
【０００３】
図５に示すように、棚４０の背面側（図中左側）で、図４において図中左右方向に間隔を置いて、床上に立ち上がるように設けられている複数の各棚柱４１の、図５中上下方向に、格子状のネット４２の高さとほぼ同じ長さの間隔を置いて、側面がＬ形のピース４３の鉛直板部を棚柱４１に溶接し、この各ピース４３の水平板部の上に、断面がＬ形の懸垂用横部材４４の水平板部が取り付けられていた。
【０００４】
図５において、棚柱４１の上端寄りの懸垂用横部材４４の鉛直板部に、格子状のネット４２の縦線４５の上端部を逆Ｕ字状に折り曲げ、その逆Ｕ字状の折り曲げ部の内側に、図４において左右方向に伸びる押え線４６を溶接したフック４７を引っ掛けて、格子状のネット４２を懸垂用横部材４４から懸垂し、その格子状のネット４２の下端部は、上記棚柱４１の上端寄りの懸垂用横部材４４より下側の懸垂用横部材４４の外側に配置されるようになっていた。
【０００５】
そして、上記格子状のネット４２より下方に設けられた、同一形状の格子状のネット４２の縦線４５の上端部を逆Ｕ字状に折り曲げたフック４７を、上記棚柱４１の上端寄りの懸垂用横部材４４から懸垂した格子状のネット４２の下端部の縦線４５間を通して、上記下側の懸垂用横部材４４に引っ掛けて、格子状のネット４２を上記下側の懸垂用横部材４４から懸垂し、その格子状のネット４２の下端部は、上記下側の懸垂用横部材４４よりさらに下側の懸垂用横部材４４の外側に配置されるようになっていた。
【先行技術文献】
【特許文献】
【０００６】
【特許文献１】実用新案登録第２５３２８１６号公報
【考案の概要】
【考案が解決しようとする課題】
【０００７】
しかしながら、上記従来のネット取付け構造においては、格子状のネット４２の縦線４５の上端部が逆Ｕ字状に折り曲げて形成されたフック４７を、棚柱４１の懸垂用横部材４４に引っ掛けることにより、格子状のネット４２を懸垂用横部材４４に懸垂させるに際し、フック４７を構成する縦線４５の上端部が、単に逆Ｕ字状に折り曲げて形成されていたため、フック４７を構成する逆Ｕ字状の縦線４５を、懸垂用横部材４４に引っ掛けるのが思った以上に難しいという問題があった。このため、格子状のネット４２の取り付け作業の効率が悪化するという問題があった。
【０００８】
また、格子状のネット４２のフック４７を構成する縦線４５の上端部が単に逆Ｕ字状に折り曲げられて形成されていたため、縦線４５の上端部が逆Ｕ字状に形成されたフック４７が、懸垂用横部材４４から思った以上に脱落し易いという問題があった。このため、懸垂用横部材４４から格子状のネット４２のフック４７が脱落すると、自動倉庫などの棚４０の背面側にいる人の安全を確保できなくなるという問題があった。
【０００９】
そこで本考案は、上記問題点に鑑みて、格子状のネットのフックを懸垂用横部材に引っ掛け易くしてその取り付け作業の効率が悪化するのを防止することができると共に、格子状のネットのフックを懸垂用横部材から脱落し難くして、棚の背面側にいる人の安全を確保することができるネット取付け構造を提供することを課題とするものである。
【課題を解決するための手段】
【００１０】
上記課題を解決するために、本考案によるネット取付け構造は、
棚の背面側における棚柱の上下方向に、格子状のネットの高さとほぼ同じ長さの間隔で懸垂用横部材を順次取付け、前記棚柱の懸垂用横部材に、前記格子状のネットの縦線の上端部の複数か所を折り曲げて形成したフックを引っ掛けて前記格子状のネットを懸垂するようにしたことを特徴とするものである。
【００１１】
また、本考案によるネット取付け構造は、
棚の背面側における棚柱の上下方向に、格子状のネットの高さとほぼ同じ長さの間隔で懸垂用横部材を順次取付け、前記棚柱の上端寄りの懸垂用横部材に、前記格子状のネットの縦線の上端部の複数か所を折り曲げて形成したフックを引っ掛けて格子状のネットを懸垂し、この格子状のネットの下端部を前記棚柱の上端寄りの懸垂用横部材より下側の懸垂用横部材の外側又は内側に配置し、同一形状の格子状のネットのフックを前記懸垂した格子状のネットの下端部の縦線間を通して前記下側の懸垂用横部材に引っ掛けて格子状のネットを懸垂し、この格子状のネットの下端部を前記下側の懸垂用横部材より下側の懸垂用横部材の外側又は内側に配置し、以下同様に格子状のネットを順次下方の懸垂用横部材に懸垂して構成するようにしたことを特徴とするものである。
【００１２】
また、本考案によるネット取付け構造は、
前記フックは、前記格子状のネットの縦線の上端部の２か所を折り曲げて形成するようにしたことを特徴とするものである。            
【００１３】
また、本考案によるネット取付け構造は、
前記フックは、前記格子状のネットの縦線の上端部の長さ方向途中で最初に折り曲げる手前の直線部分と、長さ方向途中の最後に折り曲げられた部分より先端側の直線部分との間に鋭角を形成するようにしたことを特徴とするものである。
【００１４】
また、本考案によるネット取付け構造は、
前記鋭角は、４０°位に設定することを特徴とするものである。
【考案の効果】
【００１５】
このような本考案のネット取付け構造によれば、
棚の背面側における棚柱の上下方向に、格子状のネットの高さとほぼ同じ長さの間隔で懸垂用横部材を順次取付け、前記棚柱の懸垂用横部材に、前記格子状のネットの縦線の上端部の複数か所を折り曲げて形成したフックを引っ掛けて前記格子状のネットを懸垂するようにしたことにより、
格子状のネットのフックを懸垂用横部材に引っ掛け易くしてその取り付け作業の効率が悪化するのを防止することができると共に、格子状のネットのフックを懸垂用横部材から脱落し難くして、棚の背面側にいる人の安全を確保することができる。
【図面の簡単な説明】
【００１６】
【図１】本考案の一実施の形態に係るネット取付け構造を示す側面図である。
【図２】図１に示す棚柱４１の上下方向において、その棚柱４１の上端寄りの懸垂用横部材４４から懸垂する格子状のネット４２の縦線４５の上端部に形成したフック６７の拡大図である。
【図３】図１に示す棚柱４１の上下方向において、その棚柱４１の上から２つ目の懸垂用横部材４４から懸垂する格子状のネット４２の縦線４５の上端部に形成したフック６７の拡大図である。
【図４】本考案の一実施の形態に係るネット取付け構造と、従来のネット取付け構造を共に示す正面図である。
【図５】図４に示す従来のネット取付け構造の側面図である。
【図６】従来のネット取付け構造を示す斜視図である。
【考案を実施するための形態】
【００１７】
以下、本考案に係るネット取付け構造を実施するための形態について、図面に基づいて具体的に説明する。
【００１８】
図１に示すように、棚４０の背面側（図中左側）で、図４において図中左右方向に間隔を置いて、床上に立ち上がるように設けられている複数の各棚柱４１の、図１中上下方向に、格子状のネット４２の高さとほぼ同じ長さの間隔を置いて、側面がＬ形のピース４３の鉛直板部を棚柱４１に溶接し、この各ピース４３の水平板部の上に、断面がＬ形の懸垂用横部材４４の水平板部が取り付けられている。
【００１９】
図１において、棚柱４１の上端寄りの懸垂用横部材４４の鉛直板部に、格子状のネット４２の縦線４５の上端部に形成されたフック６７を引っ掛けることにより、格子状のネット４２を懸垂用横部材４４から懸垂し、その格子状のネット４２の下端部は、上記棚柱４１の上端寄りの懸垂用横部材４４より下側の懸垂用横部材４４の外側に配置されるようになっている。
【００２０】
格子状のネット４２の縦線４５の上端部に形成されたフック６７は、図２に示すように、格子状のネット４２の縦線４５の上端部の長さ方向途中の２か所を折り曲げて形成されている。すなわち、縦線４５の長さ方向途中のＡ部で、最初に、θの角度（４８°位）だけ図中時計回り方向に折り曲げ、それから更に、縦線４５の長さ方向途中のＢ部で、最後に、βの角度（９０°程度）だけ図中時計回り方向に折り曲げる。
【００２１】
このことにより、格子状のネット４２の縦線４５の上端部における、縦線４５を１度目に（最初に）折り曲げるＡ部より手前の直線部分４５ａと、２度目に（最後に）折り曲げられるＢ部より先の先端側の直線部分４５ｂとの間の角度αが鋭角（４０°位）となるように、フック６７は形成されている。
【００２２】
縦線４５の上端部の長さ方向途中のＢ部で折り曲げられる、Ｂ部より先の先端側の直線部分４５ｂは、約１０ｍｍ以上の長さを有するように形成されている。  
【００２３】
本実施の形態に係るネット取付け構造は、格子状のネット４２のフック６７を上記のように形成することにより、格子状のネット４２のフック６７を懸垂用横部材４４に引っ掛け易くして、その格子状のネット４２の取り付け作業の効率が悪化するのを防止することができると共に、格子状のネット４２のフック６７を懸垂用横部材４４から脱落し難くして、棚４０の背面側にいる人の安全を確保することができる。
【００２４】
格子状のネット４２のフック６７における、縦線４５の一度目に折り曲げられるＡ部の内側に、図４中左右方向に伸びる押え線４６が溶接されて形成されたフック６７を、前記懸垂用横部材４４の鉛直板部に引っ掛けて、格子状のネット４２を前記懸垂用横部材４４から懸垂し、その格子状のネット４２の下端部を、前記懸垂用横部材４４の下方に設けられた懸垂用横部材４４の外側に配置する。
【００２５】
そして、上記格子状のネット４２より下方に設けられた、同一形状の格子状のネット４２の縦線４５の上端部の、上記のように２度折り曲げたフック６７を、前記棚柱４１の上端寄りの懸垂用横部材４４に懸垂した格子状のネット４２の下端部の縦線４５間を通して、上記下側の懸垂用横部材４４の鉛直板部に引っ掛けて、格子状のネット４２をその懸垂用横部材４４から懸垂し、その格子状のネット４２の下端部は、上記下側の懸垂用横部材４４よりさらに下方に設けられた懸垂用横部材４４の外側に配置されるようになっている。
【００２６】
このように上から２つ目の格子状のネット４２を、上から２段目の懸垂用横部材４４から懸垂するとき、格子状のネット４２のフック６７は、図３に示すように、２度目に（最後に）折り曲げられたＢ部より先の先端側の直線部分４５ｂの下面が、懸垂用横部材４４の鉛直板部の上端角部に摺接することにより、楔（くさび）の２つの部分を離隔させる作用とは逆の、２つの部分を接近させるような作用が働いて、縦線４５の折り曲げＡ部の内側に溶接された押え線４６を、懸垂用横部材４４の鉛直板部に近づけるように働く。
【００２７】
このため、格子状のネット４２のフック６７は、懸垂用横部材４４の鉛直板部と縦線４５の折り曲げＡ部の内側に溶接された押え線４６との間に、上方の格子状のネット４２の縦線４５の下端部をしっかりと挟んで、固定することができるようになっている。
【００２８】
以下同様に、複数の格子状のネット４２のそれぞれを、複数の懸垂用横部材４４のそれぞれに順次懸垂して、本考案に係るネット取付け構造を組み立てていくようになっている。
【００２９】
最下段の格子状のネット４２の下端部は、棚柱４１の下端寄りの懸垂用横部材４４の長手方向（図４において左右方向）に適当間隔を置いて穿設された長孔４９と、その長孔４９に隣接する長孔４９の両方に、コの字状に両端部が折り曲げられたボルト５０の両端ネジ部を貫通させて、ボルト５０の両端ネジ部にワッシャを介してナット５１を締結することにより、格子状のネット４２の縦線４５の下端部を、棚柱４１の下端寄りの懸垂用横部材４４の外面に押えて固定するようになっている。
【００３０】
以上に説明したように、本実施の形態に係るネット取付け構造によれば、格子状のネット４２のフック６７を上記のように形成することにより、格子状のネット４２を懸垂用横部材４４の鉛直板部に引っ掛け易くして、その格子状のネット４２の取り付け作業の効率が悪化するのを防止することができると共に、格子状のネット４２のフック６７が懸垂用横部材４４の鉛直板部から脱落し難くなって、棚４０の背面側の格子状のネット４２が容易に落下するのを防止して、棚４０の背面側にいる人の安全を確保することができる。
【００３１】
なお、上記実施の形態においては、格子状のネット４２の縦線４５の下端部を、懸垂用横部材４４の外面側に押えて固定するようになっているが、格子状のネット４２の縦線４５の下端部を、懸垂用横部材４４の内面側に配置して固定するようにしてもよい。
【００３２】
また、上記実施の形態においては、格子状のネット４２のフック６７は、格子状のネット４２の縦線４５の上端部の長さ方向途中の２か所を折り曲げて形成されているが、長さ方向途中の３か所以上を折り曲げて形成してもよい。
【符号の説明】
【００３３】
４０  棚
４１  棚柱
４２  格子状のネット
４３  ピース
４４  懸垂用横部材
４５  縦線
４５ａ  格子状のネット４２の縦線４５を折り曲げるＡ部より手前側の直線部分
４５ｂ  格子状のネット４２の縦線４５を折り曲げるＢ部より先の先端側の直線部分
４６  押え線
４７  フック
４９  長孔
５０  ボルト
５１  ナット
６７  フック
【図１】
0003202733.tif 000003
【図２】
0003202733.tif 000004
【図３】
0003202733.tif 000005
【図４】
0003202733.tif 000006
【図５】
0003202733.tif 000007
【図６】
0003202733.tif 000008